(57)【要約】【課題】破損させることなく容易に内装材から取り外すことができる室内照明装置を提供する。【解決手段】室内照明装置１はルーフトリム２の開口３内に位置付けられる本体部８と係止アーム９を備えている。係止アーム９が本体部８の外縁部に連なる弾性アーム１９と弾性アーム１９の先端に連なりかつ本体部８との間にルーフトリム２の開口３の内縁部を挟む係止部２０と係止部２０の側面２５から凸でかつルーフトリム２と本体部８との間に通された治具２８により本体部８に近づく方向に付勢されることが可能な解除凸部１０を備えている。解除凸部１０は本体部８に近づくのにしたがって本体部８の外縁に向うように延在した傾斜延在部２６と傾斜延在部２６の先端に連なりかつ本体部８の外縁に向うにしたがって本体部８から徐々に離れる方向に傾斜した第２傾斜延在部２７を備えている。【選択図】図３
2010208389.tif 000002
【特許請求の範囲】
【請求項１】
車両の内装材に設けられた開口内に位置付けられる本体部と、この本体部から前記車両の室外側に突出しかつ前記開口の内縁部に係止する係止アームと、を備えた室内照明装置において、
前記係止アームが、
前記本体部の外縁部に連なりかつ弾性変形可能な弾性変形部と、
前記弾性変形部の先端に連なりかつ前記本体部との間に前記内装材の開口の内縁部を挟む係止部と、
前記係止部の側面に設けられかつ前記本体部に近づくのにしたがって前記本体部の外縁に向うように延在した傾斜延在部を有しているとともに前記車両の室内側から前記内装材と前記本体部との間に通された治具により前記本体部に近づく方向に付勢されることが可能な解除部と、
を備えたことを特徴とする室内照明装置。
【請求項２】
前記解除部は、前記傾斜延在部の前記本体部の外縁側の先端に連なりかつ本体部の外縁に向うにしたがって前記本体部から徐々に離れる方向に傾斜した第２傾斜延在部を備えたことを特徴とする請求項１記載の室内照明装置。
【請求項３】
前記本体部には、前記治具を前記室内側から前記解除部まで導く導入部が設けられていることを特徴とする請求項１又は請求項２記載の室内照明装置。
【発明の詳細な説明】
【技術分野】
【０００１】
本発明は、車両としての自動車のルーフトリム等に取り付けられて前記自動車の乗員室内を照明する室内照明装置に関する。
【背景技術】
【０００２】
従来より、車両としての自動車には、その乗員室の天井に種々の室内照明装置（例えば、特許文献１を参照。）が取り付けられている。この種の室内照明装置は、乗員室の天井の内装材としてのトリムに設けられた開口内に挿入された状態で、当該天井に取り付けられる。特許文献１に示された室内照明装置は、光源やスイッチなどを備えた機能部と、該機能部が取付けられ且つ前記乗員室側に露出する意匠部と、を備えている。
【０００３】
機能部は、前記光源を収容した機能部本体と、この機能部本体に隣接して設けられ且つ前記光源の点灯及び消灯を行うためのスイッチなどを設置したスイッチユニットとを備えている。
【０００４】
意匠部は、平板状に形成されかつ前記機能部が取り付けられるハウジングと、このハウジングの前記乗員室側に重ねられて取り付けられるレンズと、前記ハウジングから前記乗員室外に凸でかつ前記トリムの開口の内縁部に係止する係止部とを備えている。係止部の外表面は、平坦に形成されている。
【０００５】
前述した構成の室内照明装置は、係止部がハウジングとの間にトリムの開口部の内縁部を挟み、機能部がハウジングの乗員室外側に取り付けられて、当該機能部がハウジングとの間にトリムの開口部の内縁部を挟むことで、当該トリムに取り付けられる。
【０００６】
また、前述した室内照明装置は、トリムの開口部の内縁とハウジングとの間を通して挿入された治具により、係止部の係止を解除されることで、当該トリムから取り外される。
【先行技術文献】
【特許文献】
【０００７】
【特許文献１】特開２００５−２３８９６６号公報
【発明の概要】
【発明が解決しようとする課題】
【０００８】
しかしながら、前述した従来の室内照明装置は、係止部の外表面が平坦に形成されているので、治具を用いて当該係止部の係止を解除することが困難で、作業にかかる工数が増大するという問題があった。さらに、治具を用いて、係止部の係止を解除することが困難であるために、最悪の場合、係止部やハウジングなどが破損するおそれがあった。
【０００９】
したがって、本発明の目的は、破損させることなく容易に内装材から取り外すことができる室内照明装置を提供することにある。
【課題を解決するための手段】
【００１０】
前記課題を解決するために、請求項１に記載された本発明の室内照明装置は、車両の内装材に設けられた開口内に位置付けられる本体部と、この本体部から前記車両の室外側に突出しかつ前記開口の内縁部に係止する係止アームと、を備えた室内照明装置において、前記係止アームが、前記本体部の外縁部に連なりかつ弾性変形可能な弾性変形部と、前記弾性変形部の先端に連なりかつ前記本体部との間に前記内装材の開口の内縁部を挟む係止部と、前記係止部の側面に設けられかつ前記本体部に近づくのにしたがって前記本体部の外縁に向うように延在した傾斜延在部を有しているとともに前記車両の室内側から前記内装材と前記本体部との間に通された治具により前記本体部に近づく方向に付勢されることが可能な解除部と、を備えたことを特徴としている。
【００１１】
請求項２に記載された本発明の室内照明装置は、請求項１に記載の室内照明装置において、前記解除部は、前記傾斜延在部の前記本体部の外縁側の先端に連なりかつ本体部の外縁に向うにしたがって前記本体部から徐々に離れる方向に傾斜した第２傾斜延在部を備えたことを特徴としている。
【００１２】
請求項３に記載された本発明の室内照明装置は、請求項１または請求項２に記載の室内照明装置において、前記本体部には、前記治具を前記室内側から前記解除部まで導く導入部が設けられていることを特徴としている。
【００１３】
請求項１に記載された本発明によれば、係止アームの係止部に設けられかつ治具により内装材に向って付勢されることが可能な解除部が、本体部に近づくのにしたがって徐々に本体部の外縁に向うように傾斜した傾斜延在部を有している。このため、治具が解除部を本体部に向って付勢すると、治具が傾斜延在部を摺動して係止部を本体部に向って除部することとなるので、弾性変形部が弾性変形して、係止部が本体部の外縁即ち開口の内縁部から離れる方向に変位する。
【００１４】
請求項２に記載された本発明によれば、解除部が、傾斜延在部の本体部の外縁側の先端に連なりかつ本体部の外縁に向うにしたがって本体部から徐々に離れる方向に傾斜した第２傾斜延在部を備えている。このために、治具が解除部を本体部に向って付勢する際に、傾斜延在部上を摺動した治具が第２傾斜延在部により、解除部から脱落することが防止される。
【００１５】
請求項３に記載された本発明によれば、本体部に治具を室内側から解除部まで導く導入部が設けられているので、治具により解除部を確実に付勢することができ、係止部の係止を確実に解除することができる。
【発明の効果】
【００１６】
以上説明したように、請求項１に記載の本発明は、治具により、解除部を本体部に向って付勢することで、係止部が本体部の外縁即ち開口の内縁部から離れる方向に変位させることができる。したがって、治具により、解除部を本体部に向って付勢することで、係止部の係止を解除することができる。よって、係止アームなどを破損させることなく容易に内装材から取り外すことができる。
【００１７】
請求項２に記載の本発明は、治具が解除部を本体部に向って付勢する際に、傾斜延在部上を摺動した治具が第２傾斜延在部により、解除部から脱落することが防止される。よって、容易で確実に係止部の係止を解除することができる。
【００１８】
請求項３に記載の本発明は、本体部に治具を室内側から解除部まで導く導入部が設けられているので、治具により解除部を確実に付勢することができ、係止部の係止を確実に解除することができる。
【図面の簡単な説明】
【００１９】
【図１】本発明の一実施形態に係る室内照明装置がルーフトリムに取り付けられた状態の斜視図である。
【図２】図１に示された室内照明装置の斜視図である。
【図３】図１に示された室内照明装置の分解斜視図である。
【図４】図２に示された室内照明装置の導入部に治具が通された状態を示す斜視図である。
【図５】図４中のＶ−Ｖ線に沿う断面図である。
【図６】図４に示された室内照明装置の係止アームなどの側面図である。
【図７】図６に示された係止アームの断面図である。
【図８】図４に示された治具が解除凸部を付勢した状態を示す斜視図である。
【図９】図９中のＩＸ−ＩＸ線に沿う断面図である。
【図１０】図８に示された室内照明装置の係止アームなどの側面図である。
【図１１】図１０に示された係止アームの断面図である。
【図１２】図８に示された室内照明装置がルーフトリムから取り外される状態を示す斜視図である。
【図１３】図１２中のＸＩＩＩ−ＸＩＩＩ線に沿う断面図である。
【図１４】図１２に示された室内照明装置の係止アームなどの側面図である。
【図１５】図１４に示された係止アームの断面図である。
【発明を実施するための形態】
【００２０】
以下、本発明の一実施形態に係る室内照明装置を図１乃至図１５を参照して説明する。本実施形態に係る室内照明装置１は、車両としての自動車の内装材としてのルーフトリム２（図１に示す）に設けられた開口３内に取り付けられて、前記自動車の乗員室内を照明する装置である。また、ルーフトリム２とは、自動車の天井を構成する合成樹脂で構成される部品であり、車体パネルを構成するルーフパネルの乗員室側に取り付けられるものである。開口３は、その平面形状が矩形状に形成されている。
【００２１】
上記室内照明装置１は、図１ないし図３に示すように、光源としてのバルブ６を有する機能部４と、機能部４よりも乗員室の内側に配され且つ機能部４に組み付けられる意匠部５とを備えている。また、前記乗員室内側とは、図１中のルーフトリム２よりも下側を言う。さらに、図１中のルーフトリム２よりも上側には、前述したルーフパネルが配されている。以下、図１中のルーフトリム２よりも下側を、室内側と言い、ルーフトリム２よりも上側を室外側と言う。
【００２２】
機能部４は、図１ないし図３に示すように、バルブ６と、このバルブ６への電力を入断するスイッチユニット（図示せず）と、該スイッチユニットを収容し且つ前記バルブ６を保持するホルダ７と、を有している。バルブ６は、電力が供給されることで光輝する。スイッチユニットは、電力入断回路を有した図示しないスイッチユニット本体と、ホルダ７から突出して室内側に位置付けられた操作レバーと、を有している。
【００２３】
ホルダ７は、合成樹脂で構成されており、箱状に形成されている。ホルダ７は、バルブ６の光輝する部分を露出させて当該バルブ６を保持し、操作レバーを室内側に突出させた状態でスイッチユニット本体を収容する。また、ホルダ７は、ルーフパネルに配索されるワイヤハーネス１７の電線１８と圧接しかつ当該電線１８とスイッチユニットとバルブ６とを予め定められた所定のパターンで接続する図示しないバスバを収容している。ワイヤハーネス１７の複数の電線１８は、車体に設けられたバッテリなどの電源などと接続されており、バルブ６に電力を供給する。
【００２４】
意匠部５は、図２及び図３に示すように、本体部８と、係止アーム９と、解除部としての解除凸部１０と、導入部１１とを備えている。本体部８は、バルブ６の光を室内側に透過させるレンズ１２と、該レンズ１２及び前述した機能部４が取り付けられ且つルーフトリム２の開口３に取り付けられるハウジング１３とを備えている。
【００２５】
レンズ１２は、バルブ６が発する光を透過することが可能な透明又は半透明な合成樹脂で構成されて、平面形状が前記開口３の平面形状と略等しい平板状に形成されている。レンズ１２には、ハウジング１３の外縁に係止する係止爪が設けられており、ハウジング１３の後述する枠部１４の室内側に重ねられて、当該係止爪が係止して、当該ハウジング１３に取り付けられる。レンズ１２は、ハウジング１３がルーフトリム２の開口３に取り付けられると、室内側に露出する。
【００２６】
ハウジング１３は、合成樹脂で構成されており、外縁の平面形状が開口３及びレンズ１２の平面形状と略等しい枠状に形成された枠部１４と、反射カバー１５と、機能部取付部１６とを一体に備えている。
【００２７】
反射カバー１５は、枠部１４の内側の開口部を室外側から覆うドーム状に形成されている。反射カバー１５は、ハウジング１３の長手方向の両端にその開口部が設けられた格好に配置されている。
【００２８】
機能部取付部１６は、枠部１４即ちハウジング１３の長手方向の一端部の室外側の表面に設けられ、かつ前述した機能部４を取り付けることができる。なお、機能部取付部１６は、バルブ６を反射カバー１５内に収容した格好で、機能部４を取り付ける。機能部取付部１６が機能部４を取り付けると、この機能部４のホルダ７の電線１８が取り付けられた端部はハウジング１３の外縁よりも外方向に突出する。
【００２９】
係止アーム９は、ハウジング１３の外縁部の一部としての長手方向の他端部に設けられ、かつ当該ハウジング１３即ち本体部８の長手方向の他端部から室外側に突出している。係止アーム９は、図７に示すように、ハウジング１３の前述した他端部に連なり弾性変形自在な弾性変形部としての弾性アーム１９と、この弾性アーム１９のハウジング１３から離れた側の先端に設けられた係止部２０とを一体に備えている。
【００３０】
弾性アーム１９は、一端がハウジング１３の前述した他端部に連なりかつこの他端部からハウジング１３の表面に対して直交する方向に立設した鉛直部２１と、この鉛直部２１のハウジング１３から離れた側の先端からハウジング１３の外方向に湾曲して前記係止部２０が連なった湾曲部２２とを一体に備えている。弾性アーム１９は、係止部２０がハウジング１３の外縁から凸没する方向に変位自在とするように、特に鉛直部２１が弾性変形自在となっている。
【００３１】
係止部２０は、弾性アーム１９の湾曲部２２の先端に連なっている。係止部２０は、図７に示すように、側方からみてハウジング１３に向うにしたがって徐々にハウジング１３の外縁から突出する三角形に形成されている。なお、係止部２０は、弾性アーム１９の鉛直部２１と相対する面が、当該鉛直部２１と間隔をあけて略平行な平行面２３に形成されている。また、係止部２０の平行面２３の裏側の面は、ハウジング１３に向かうにしたがって徐々に平行面２３から離れる方向に鉛直方向に対して傾いた傾斜面２４に形成されている。
【００３２】
前述した構成の係止部２０は、弾性アーム１９が弾性変形していない中立状態で、ハウジング１３即ち本体部８の外縁部との間にルーフトリム２の開口３の内縁部を挟みこんで、ハウジング１３即ち室内照明装置１をルーフトリム２に固定する。
【００３３】
解除凸部１０は、図６に示すように、係止部２０の平行面２３と傾斜面２４との双方に連なる一方の側面２５から凸に形成されている。解除凸部１０は、係止部２０の弾性アーム１９に連なる箇所から本体部８に近づく方向に延在しているとともに本体部８に近づくのにしたがってハウジング１３即ち本体部８の外縁に向うように、ハウジング１３即ち本体部８の表面に対して傾斜した傾斜延在部２６と、この傾斜延在部２６の本体部８寄り即ち本体部８の外縁側の先端に連なりかつこの先端からハウジング１３即ち本体部８の外方向でかつハウジング１３即ち本体部８から離れる方向に延在した第２傾斜延在部２７とを備えている。第２傾斜延在部２７は、前述した傾斜延在部２６の先端から本体部８の外縁に向うにしたがって徐々に本体部８から離れる方向に傾斜している。
【００３４】
前述した解除凸部１０は、係止部２０の前述した一方の側面２５から凸に形成されていることで、ルーフトリム２に取り付けられた室内照明装置１の本体部８と前述した開口３の内縁との間を通して挿入された棒状の治具２８（図４及び図５中に点線で示す）の先端が当接可能でかつ当該治具２８により本体部８に近づく方向に付勢（押圧）されることが可能な構成となっている。
【００３５】
導入部１１は、係止アーム９の近傍でかつ本体部８の外縁部に設けられており、レンズ用ガイド溝２９と、ハウジング用ガイド溝３０とを備えている。レンズ用ガイド溝２９は、レンズ１２の外縁からレンズ１２のハウジング１３が重なる側の表面とに亘って凹に形成されている。また、レンズ用ガイド溝２９は、レンズ１２の室内側の表面には設けられていない。このために、室内照明装置１がルーフトリム２に取り付けられると、このルーフトリム２の開口３の内縁によりレンズ用ガイド溝２９が隠されて美観を損ねることを防止できる。さらに、レンズ用ガイド溝２９の両側内面は、前記本体部８の表面に対して直交する方向に沿って平坦に形成されている。
【００３６】
ハウジング用ガイド溝３０は、レンズ１２とハウジング１３とが互いに取り付けられると、レンズ用ガイド溝２９と同一線上に並ぶ位置に配置されている。ハウジング用ガイド溝３０は、ハウジング１３の外縁部から凹に形成されかつレンズ用ガイド溝２９から係止アーム９の係止部２０の一方の側面２５に設けられた解除凸部１０に向って延在している。
【００３７】
前述した導入部１１は、ハウジング１３とレンズ１２とが互いに取り付けられると、前述したガイド溝２９，３０が互いに同一線上に位置する。そして、導入部１１は、ルーフトリム２に取り付けられた室内照明装置１と開口３の内縁との間を通して挿入された治具２８を内側に通して、当該治具２８を解除凸部１０まで導く。即ち導入部１１は、治具２８を室内側から解除凸部１０まで導く。そして、導入部１１は、ガイド溝２９，３０内に治具２８を通すことで、当該治具２８が本体部８の長手方向に位置ずれすることを規制する。
【００３８】
前述した構成の室内照明装置１は、以下のように組み立てられて、ルーフトリム２に取り付けられる。まず、組み立て前には、機能部４は、前述したワイヤハーネス１７の電線１８が取り付けられて、当該ワイヤハーネス１７によりルーフトリム２の開口３を通して室内側に垂れ下がっている。そして、ハウジング１３とレンズ１２とを互いに組み付けて、意匠部５を組み立てた後に、当該意匠部５のハウジング１３の機能部取付部１６に機能部４を取り付ける。こうして、まず、室内照明装置１は、組み立てられる。
【００３９】
そして、室内照明装置１は、機能部４と意匠部５の本体部８との間にルーフトリム２の開口３の内縁部を挿入した後、意匠部５の係止部２０を開口３内に挿入する。すると、係止部２０の傾斜面２４がルーフトリム２の開口３の内縁に当接して、係止部２０が本体部８の外縁よりも内側に向かうように、弾性アーム１９が弾性変形した後、係止部２０がルーフトリム２の開口３の内縁を乗り越えると、弾性アーム１９の弾性復元力により、係止部２０が本体部８の外方向に変位して、弾性アーム１９が中立状態に位置付けられて、図６及び図７に示すように、係止部２０と本体部８との間にルーフトリム２の開口３の内縁を挟みこむ。こうして、図４及び図５に示すように、室内証明装置は、ルーフトリム２に取り付けられる。
【００４０】
そして、室内照明装置１は、以下のように、ルーフトリム２から取り外される。まず、図４及び図５に示すように、治具２８をルーフトリム２の開口３の内縁と本体部８との間に挿入して、当該治具２８を、導入部１１のガイド溝２９，３０を通して室内側から解除凸部１０まで導く。そして、治具２８を、解除凸部１０の上方に位置付けて、ガイド溝２９，３０即ち本体部８を支点として、室内側の端部をルーフトリム２に近づける。すると、治具２８の室外側の先端部が解除凸部１０を本体部８に向かって付勢する。すると、解除凸部１０の傾斜延在部２６が前述した方向に傾斜しているので、治具２８の先端部が解除凸部１０の傾斜延在部２６上を摺動して本体部８に近づく。
【００４１】
すると、導入部１１のガイド溝２９，３０により治具２８のハウジング１３の長手方向の位置ずれが規制されているために、図８ないし図１０に示すように、係止部２０がルーフトリム２の開口３から離れて本体部８の内側に向かうように、弾性アーム１９が弾性変形する。そして、図１１に示すように、係止部２０のルーフトリム２の開口３の内縁部  に対する係止が解除される。そして、この状態のまま、図１２ないし図１５に示すように、係止部２０がルーフトリム２の開口３内から抜き取られて、当該開口３から本体部８が抜き取られて、室内照明装置１がルーフトリム２から取り外される。
【００４２】
本実施形態によれば、係止アーム９の係止部２０に設けられかつ治具２８によりルーフトリム２に向って付勢されることが可能な解除凸部１０が、本体部８に近づくのにしたがって徐々に本体部８の外縁に向うように傾斜した傾斜延在部２６を有している。このため、治具２８が解除凸部１０を本体部８に向って付勢すると、治具２８が傾斜延在部２６を摺動して係止部２０を本体部８に向って付勢することとなるので、弾性アーム１９が弾性変形して、係止部２０が本体部８の外縁即ち開口３の内縁部から離れる方向に変位する。
【００４３】
したがって、治具２８により、解除凸部１０を本体部８に向って付勢することで、係止部２０の係止を解除することができる。よって、係止アーム９などを破損させることなく容易にルーフトリム２から取り外すことができる。
【００４４】
解除凸部１０が、傾斜延在部２６の本体部８の外縁側の先端に連なりかつ本体部８の外縁に向うにしたがって本体部８から徐々に離れる方向に傾斜した第２傾斜延在部２７を備えている。このために、治具２８が解除凸部１０を本体部８に向って付勢する際に、傾斜延在部２６上を摺動した治具２８が第２傾斜延在部２７により、解除凸部１０から脱落することが防止される。よって、容易で確実に係止部２０の係止を解除することができる。
【００４５】
さらに、本体部８に治具２８を室内側から解除凸部１０まで導く導入部１１が設けられているので、治具２８により解除凸部１０を確実に付勢することができ、係止部２０の係止を確実に解除することができる。
【００４６】
前述した実施形態では、係止アーム９を一つのみ設けている。しかしながら、本発明では、係止アーム９を複数設けてもよいことは勿論である。また、前述した実施形態では、解除部として前述した側面２５から凸の解除凸部１０を設けている。しかしながら、本発明では、解除部を側面２５から凹に設けてもよい。要するに、本発明では、解除部は、治具２８により付勢される構成でれば如何なる構成をとってもよい。
【００４７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４８】
１  室内照明装置
２  ルーフトリム（内装材）
３  開口
８  本体部
９  係止アーム
１０  解除凸部（解除部）
１１  導入部
１９  弾性アーム（弾性変形部）
２０  係止部
２５  側面
２６  傾斜延在部
２７  第２傾斜延在部
２８  治具
【図１】
2010208389.tif 000003
【図２】
2010208389.tif 000004
【図３】
2010208389.tif 000005
【図４】
2010208389.tif 000006
【図５】
2010208389.tif 000007
【図６】
2010208389.tif 000008
【図７】
2010208389.tif 000009
【図８】
2010208389.tif 000010
【図９】
2010208389.tif 000011
【図１０】
2010208389.tif 000012
【図１１】
2010208389.tif 000013
【図１２】
2010208389.tif 000014
【図１３】
2010208389.tif 000015
【図１４】
2010208389.tif 000016
【図１５】
2010208389.tif 000017